(57)【要約】【課題】光源ランプで発生した熱がヒートシンク側に十分に伝達されて光源ランプが良好に冷却され、しかも光源ランプがヒートシンクとの熱膨張率の相違等で破損するおそれのない内視鏡用光源装置を提供すること。【解決手段】内視鏡の照明光源になる光源ランプ３が、その光源ランプ３から発生する熱を放散するためのヒートシンク４Ａ，４Ｂに形成されたランプ嵌め込み孔４０Ａ，４０Ｂに緩く嵌め込まれた内視鏡用光源装置において、光源ランプ３の壁面とヒートシンク４Ａの壁面との間に生じた空間に弾力性のある放熱シリコンゴム製の部材１０を圧縮した状態に挟み込んだ。【選択図】      図１
2006340816.tif 000002
【特許請求の範囲】
【請求項１】
内視鏡の照明光源になる光源ランプが、上記光源ランプから発生する熱を放散するためのヒートシンクに形成されたランプ嵌め込み孔に緩く嵌め込まれた内視鏡用光源装置において、
上記光源ランプの壁面と上記ヒートシンクの壁面との間に生じた空間に弾力性のある放熱シリコンゴム製の部材を圧縮した状態に挟み込んだことを特徴とする内視鏡用光源装置。
【請求項２】
上記光源ランプの外周部分に、軸線と垂直方向の段差面が全周にわたり突出形成されていて、上記放熱シリコンゴム製の部材が、上記ヒートシンクの端面と上記段差面との間の空間に挟み込まれている請求項１記載の内視鏡用光源装置。
【請求項３】
上記放熱シリコンゴム製の部材が環状に形成されて上記ヒートシンクの端面と上記段差面との間の空間に全周にわたって挟み込まれている請求項１又は２記載の内視鏡用光源装置。
【発明の詳細な説明】
【技術分野】
【０００１】
この発明は内視鏡用光源装置に関する。
【背景技術】
【０００２】
内視鏡用光源装置には一般に、内視鏡の照明光源になるキセノンランプ等の光源ランプが、その光源ランプから発生する熱を放散するためのヒートシンクに取り付けられた状態で配置されている（例えば、特許文献１、２）。
【特許文献１】特開昭６０−２０８００５
【特許文献２】特開２００１−２７５９６０
【発明の開示】
【発明が解決しようとする課題】
【０００３】
図６は、従来の内視鏡用光源装置の光源ランプ９１の保持部を示しており、内視鏡の照明光源になる光源ランプ９１は、その光源ランプ９１から発生する熱を放散するための一対のヒートシンク９２Ａ，９２Ｂに保持されており、光源ランプ９１の前後両端部分付近が、ヒートシンク９２Ａ，９２Ｂの各々に形成されたランプ嵌め込み孔９３Ａ，９３Ｂに嵌め込まれている。
【０００４】
ただし、光源ランプ９１をランプ嵌め込み孔９３Ａ，９３Ｂにきつく嵌め込むと、光源ランプ９１とヒートシンク９２Ａ，９２Ｂとの間の熱膨張率の相違等のために、温度変化に伴って光源ランプ９１が機械的な応力により破損するおそれがあるので、光源ランプ９１はランプ嵌め込み孔９３Ａ，９３Ｂに対して緩く嵌め込まれている。
【０００５】
そのため、光源ランプ９１で発生した熱がヒートシンク９２Ａ，９２Ｂ側に必ずしも十分に伝達されず、光源ランプ９１の温度が上昇しすぎて光源ランプ９１が短期に劣化してしまう場合がある。
【０００６】
そこで本発明は、光源ランプで発生した熱がヒートシンク側に十分に伝達されて光源ランプが良好に冷却され、しかも光源ランプがヒートシンクとの熱膨張率の相違等で破損するおそれのない内視鏡用光源装置を提供することを目的とする。
【課題を解決するための手段】
【０００７】
上記の目的を達成するため、本発明の内視鏡用光源装置は、内視鏡の照明光源になる光源ランプが、その光源ランプから発生する熱を放散するためのヒートシンクに形成されたランプ嵌め込み孔に緩く嵌め込まれた内視鏡用光源装置において、光源ランプの壁面とヒートシンクの壁面との間に生じた空間に弾力性のある放熱シリコンゴム製の部材を圧縮した状態に挟み込んだものである。
【０００８】
なお、光源ランプの外周部分に、軸線と垂直方向の段差面が全周にわたり突出形成されていて、放熱シリコンゴム製の部材が、ヒートシンクの端面と段差面との間の空間に挟み込まれていてもよい。
【０００９】
そして、放熱シリコンゴム製の部材が環状に形成されてヒートシンクの端面と段差面との間の空間に全周にわたって挟み込まれていてもよい。
【発明の効果】
【００１０】
本発明によれば、光源ランプの壁面とヒートシンクの壁面との間に生じた空間に弾力性のある放熱シリコンゴム製の部材を圧縮した状態に挟み込んだことにより、光源ランプで発生した熱がヒートシンク側に十分に伝達されて光源ランプが良好に冷却され、光源ランプがヒートシンクとの熱膨張率の相違等で破損するおそれもない。
【発明を実施するための最良の形態】
【００１１】
内視鏡の照明光源になる光源ランプが、光源ランプから発生する熱を放散するためのヒートシンクに形成されたランプ嵌め込み孔に緩く嵌め込まれた内視鏡用光源装置において、光源ランプの壁面とヒートシンクの壁面との間に生じた空間に弾力性のある放熱シリコンゴム製の部材を圧縮した状態に挟み込む。
【実施例】
【００１２】
図面を参照して本発明の実施例を説明する。
図２は内視鏡用光源装置を示しており、フロントパネルには、図示されていない内視鏡のライトガイドコネクタが接続されるライトガイドコネクタ受け１と、撮像信号等を伝送するための信号コネクタが接続される信号コネクタ受け２とが並んで配置されている。
【００１３】
そして、内視鏡のライトガイドに供給する照明光を発生する照明光源になる例えばキセノンランプからなる光源ランプ３が、一対のヒートシンク（後側ヒートシンク４Ａ、前側ヒートシンク４Ｂ）に保持された状態で内蔵されている。
【００１４】
図３は、そのような内視鏡用光源装置の内部構成の一部を略示する平面部分断面図であり、図１はその中の光源ランプ１の保持部の側面断面図、図４は後側ヒートシンク４Ａを後方から見た状態の背面部、図５は図３におけるＶ−Ｖ断面図である。
【００１５】
一対のヒートシンク４Ａ，４Ｂは、熱伝導率が大きくて導電性のよい例えばアルミニウム合金材などにより形成されており、光源ランプ３の軸線方向に間隔をあけて配置されて、光源ランプ３を電源と接続するための正負両電極としても兼用されている。
【００１６】
一対のヒートシンク４Ａ，４Ｂには各々、図４及び図５に示されるように多数の放熱フィンが突出形成されていて、図３に示されるように、モータ駆動される冷却ファン１１により冷却風が流される風洞１２内に配置されている。
【００１７】
一対のヒートシンク４Ａ，４Ｂは各々、ヒートシンク取り付け台座５Ａ，５Ｂに手動の取り付けネジ７Ａ，７Ｂで取り付けられており、光源装置の側面部に配置されたランプ交換扉８を開くことにより、外部から着脱することができる。９は、ランプ交換扉８の蝶番である。
【００１８】
図１に示されるように、後側ヒートシンク４Ａには光源ランプ３の後端付近が嵌め込まれる後側ランプ嵌め込み孔４０Ａが形成され、前側ヒートシンク４Ｂには光源ランプ３の先端付近が嵌め込まれる前側ランプ嵌め込み孔４０Ｂが形成されていて、光源ランプ３の前後両端部分付近が各々嵌め込み孔４０Ａ，４０Ｂに緩く嵌め込まれている。３ａは光源ランプ３の発光部、３ｂは反射鏡、３ｃは先端面カバーガラスである。
【００１９】
光源ランプ３の外周の中間部分には、一対のヒートシンク４Ａ，４Ｂの間に位置する部分であって後側ヒートシンク４Ａの先端面に近接した位置に、後側ランプ嵌め込み孔４０Ａより径が大きくて軸線に対して垂直な向きの段差面３ｄが全周にわたり突出形成されている。
【００２０】
そして、その光源ランプ３の外周の段差面３ｄと後側ヒートシンク４Ａの先端面との間に生じた空間には、その空間形状に合わせて環状に形成された弾力性のある放熱シリコンゴム製の伝熱パッキング１０が、圧縮されて弾力的に潰された状態に挟み込まれている。
【００２１】
放熱シリコンゴムは弾力性に富むシリコンゴムに熱伝導性を高める処理を施して製造されたものであり、伝熱パッキング１０が光源ランプ３の外周の段差面３ｄと後側ヒートシンク４Ａの先端面との間の空間に押し潰されて弾性変形した状態に挟み込まれていることにより、光源ランプ３で発生した熱が伝熱パッキング１０を経由して後側ヒートシンク４Ａ側に伝達されて、光源ランプ３が予め想定された温度以上の高温にならないので、光源ランプ３が熱のために早期に劣化することがない。
【００２２】
なお、本発明は上記実施例に限定されるものではなく、例えば伝熱パッキング１０が接触するヒートシンクが前側ヒートシンク４Ｂ側であってもよく、伝熱パッキング１０を複数配置して後側ヒートシンク４Ａと前側ヒートシンク４Ｂの双方に接触するようにしてもよい。
【図面の簡単な説明】
【００２３】
【図１】本発明の実施例の内視鏡用光源装置の光源ランプ保持部の側面断面図である。
【図２】本発明の実施例の内視鏡用光源装置の外観斜視図である。
【図３】本発明の実施例の内視鏡用光源装置の平面部分断面図である。
【図４】本発明の実施例の内視鏡用光源装置の内部の部分背面図である。
【図５】本発明の実施例の内視鏡用光源装置の図３におけるＶ−Ｖ断面図である。
【図６】従来の内視鏡用光源装置の光源ランプ保持部の側面断面図である。
【符号の説明】
【００２４】
３  光源ランプ
３ｄ  段差面
４Ａ，４Ｂ  ヒートシンク
１０  伝熱パッキング（放熱シリコンゴム製の部材）
４０Ａ，４０Ｂ  ランプ嵌め込み孔
【図１】
2006340816.tif 000003
【図２】
2006340816.tif 000004
【図３】
2006340816.tif 000005
【図４】
2006340816.tif 000006
【図５】
2006340816.tif 000007
【図６】
2006340816.tif 000008